(57)【特許請求の範囲】
【請求項１】
タッチパネル式の表示部と、
ユーザ操作に応じて入力された見出し語に対応する説明情報を辞書データから読み出して前記表示部に表示させる説明情報表示制御手段と、
前記タッチパネルによりユーザ操作に応じたマルチタッチを検出するマルチタッチ検出手段と、
前記マルチタッチ検出手段により検出されたマルチタッチの各タッチ位置が互いに離間する方向に移動されたか又は互いに接近する方向に移動されたかを判断するタッチ位置移動判断手段と、
前記タッチ位置移動判断手段による前記マルチタッチの各タッチ位置が互いに離間する方向に移動されたか又は互いに接近する方向に移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる語義表示情報制御手段と、
を備えたことを特徴とする辞書情報表示装置。
【請求項２】
前記タッチ位置移動判断手段は、前記マルチタッチ検出手段により検出されたマルチタッチの各タッチ位置が、前記説明情報表示制御手段により前記表示部に表示された語義の説明行と直交する列方向に離間する方向で移動されたか又は接近する方向で移動されたかを判断する語義列対応移動判断手段を有し、
前記語義表示情報制御手段は、前記語義列対応移動判断手段により前記マルチタッチの各タッチ位置が、前記表示部に表示された語義の説明行と直交する列方向に離間する方向で移動されたか又は接近する方向で移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる、ことを特徴とする請求項１に記載の辞書情報表示装置。
【請求項３】
前記マルチタッチ検出手段により検出されたマルチタッチの各タッチ位置が一定時間保持されたか否かを判断するタッチ位置保持判断手段を備え、
前記タッチ位置保持判断手段により前記マルチタッチの各タッチ位置が一定時間保持されたと判断された場合は、前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる第１の表示情報制御手段と、
前記タッチ位置保持判断手段により前記マルチタッチの各タッチ位置が一定時間保持されないと判断された場合は、前記タッチ位置移動判断手段により前記マルチタッチの各タッチ位置が離間する方向に移動されたか又は接近する方向に移動されたかの判断に応じて、前記表示部に表示されている説明情報を拡大して表示させるか又は縮小して表示させる第２の表示情報制御手段とを有する、
ことを特徴とする請求項１又は請求項２に記載の辞書情報表示装置。
【請求項４】
前記マルチタッチ検出手段により検出されたマルチタッチの各タッチ位置が、前記説明情報表示制御手段により前記表示部に表示された語義の説明行に対して斜めの方向に離間する方向で移動されたか又は接近する方向で移動されたかを判断する斜め対応移動判断手段を有し、
この斜め対応移動判断手段により前記マルチタッチの各タッチ位置が、前記説明情報表示制御手段により前記表示部に表示された語義の説明行に対して斜めの方向に離間する方向で移動されたか又は接近する方向で移動されたかの判断に応じて、前記表示部に表示されている説明情報を拡大して表示させるか又は縮小して表示させる拡大／縮小表示制御手段を備えた、
ことを特徴とする請求項１ないし請求項３の何れか１項に記載の辞書情報表示装置。
【請求項５】
タッチパネル式の表示部と、
ユーザ操作に応じて入力された見出し語に対応する説明情報を辞書データから読み出して前記表示部に表示させる説明情報表示制御手段と、
前記タッチパネルによりユーザ操作に応じたマルチタッチを検出するマルチタッチ検出手段と、
このマルチタッチ検出手段により検出されたマルチタッチの各タッチ位置が互いに離間する方向に移動されたか又は互いに接近する方向に移動されたかを判断するタッチ位置移動判断手段と、
このタッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる説明情報を詳細化して表示させるか又は簡略化して表示させる表示情報制御手段と、
前記表示部に表示された説明情報の中の任意の文字列にユーザ操作に応じてマーカを付加して表示させるマーカ付加表示制御手段と、
このマーカ付加表示制御手段によりマーカが付加されて表示された文字列を登録するマーカ文字列登録手段と、を備え、
前記表示情報制御手段は、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録手段に登録された文字列が含まれるか否かを判断するマーカ文字列判断手段を有し、
このマーカ文字列判断手段により前記マーカ文字列登録手段に登録された文字列が含まれると判断された場合は、当該文字列を優先して表示させる、
ことを特徴とする辞書情報表示装置。
【請求項６】
見出し語と当該見出し語の複数の語義からなる説明情報とを対応付けた前記辞書データを記憶する辞書記憶手段を備えた、請求項１ないし請求項４の何れか１項に記載の辞書情報表示装置。
【請求項７】
タッチパネル式の表示部を備えた電子機器のコンピュータを制御するための辞書情報表示プログラムであって、
前記コンピュータを、
ユーザ操作に応じて入力された見出し語に対応する説明情報を、見出し語と当該見出し語の説明情報とを対応付けた辞書データから読み出して前記表示部に表示させる説明情報表示制御手段、
前記タッチパネルによりユーザ操作に応じたマルチタッチを検出するマルチタッチ検出手段、
前記マルチタッチ検出手段により検出されたマルチタッチの各タッチ位置が互いに離間する方向に移動されたか又は互いに接近する方向に移動されたかを判断するタッチ位置移動判断手段、
前記タッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる語義表示情報制御手段、
として機能させるための辞書情報表示プログラム。
【請求項８】
タッチパネル式の表示部を備えた電子機器の辞書情報表示方法において、
ユーザ操作に応じて入力された見出し語に対応する説明情報を、見出し語と当該見出し語の説明情報とを対応付けた辞書データから読み出して前記表示部に表示させる説明情報表示制御ステップと、
前記タッチパネルによりユーザ操作に応じたマルチタッチを検出するマルチタッチ検出ステップと、
前記マルチタッチ検出ステップにより検出されたマルチタッチの各タッチ位置が互いに離間する方向に移動されたか又は互いに接近する方向に移動されたかを判断するタッチ位置移動判断ステップと、
前記タッチ位置移動判断ステップにより前記マルチタッチの各タッチ位置が互いに離間する方向に移動されたか又は互いに接近する方向に移動されたかの判断に応じて、前記説明情報表示制御ステップにより前記辞書データから読み出して前記表示部に表示させる語義の説明情報を、予め順位付けられた次の語義の説明行を追加して表示させるか又は表示中の語義の説明行を削除して表示させる語義表示情報制御ステップと、
とからなる辞書情報表示方法。
【請求項９】
ネットワークを介した通信機能を有するサーバ装置と端末装置からなる辞書情報表示システムであって、
前記サーバ装置は、
見出し語と当該見出し語の説明情報とを対応付けた辞書データを記憶している辞書記憶手段と、
前記端末装置からユーザ操作に応じて入力された検索語を受信する検索語受信手段と、
この検索語受信手段により受信された検索語に対応する見出し語とその説明情報を前記辞書データから読み出して前記端末装置へ送信する説明情報送信手段と、
前記端末装置のタッチパネルにより検出されるユーザ操作に応じたタッチ位置を受信するタッチ位置受信手段と、
このタッチ位置受信手段により受信されたタッチ位置に応じてユーザ操作に応じたマルチタッチを検出するマルチタッチ検出手段と、
前記マルチタッチ検出手段により検出されたマルチタッチの各タッチ位置が、前記説明情報送信手段により前記辞書データから読み出して前記端末装置へ送信された語義の説明行と直交する列方向に離間する方向で移動されたか又は接近する方向で移動されたかを判断する語義列対応移動判断手段と、
前記語義列対応移動判断手段により前記マルチタッチの各タッチ位置が、前記語義の説明行と直交する列方向に離間する方向で移動されたか又は接近する方向で移動されたかの判断に応じて、前記説明情報送信手段により前記辞書データから読み出して前記端末装置へ送信する語義の説明情報を、予め順位付けられた次の語義の説明行を追加して送信させるか又は送信中の語義の説明行を削除して送信させる語義送信情報制御手段とを備え、
前記端末装置は、
タッチパネル式の表示部と、
ユーザ操作に応じて入力された検索語を前記サーバ装置へ送信する検索語送信手段と、
この検索語送信手段による前記検索語の送信に応答して、前記サーバ装置の説明情報送信手段により送信された見出し語とその説明情報を受信し、当該受信された見出し語とその説明情報を前記表示部に表示させる説明情報表示制御手段と、
前記タッチパネルにより検出されるユーザ操作に応じたタッチ位置を前記サーバ装置へ送信するタッチ位置送信手段と、
このタッチ位置送信手段による前記タッチ位置の送信に応答して、前記サーバ装置の語義送信情報制御手段により予め順位付けられた次の語義の説明行を追加して送信されたか又は送信中の語義の説明行を削除して送信された説明情報を受信し、前記説明情報表示制御手段により前記表示部に表示された語義の説明情報を追加又は削除して表示させる表示情報制御手段とを備えた、
ことを特徴とする辞書情報表示システム。
【請求項１０】
請求項９に記載の辞書情報表示システムのサーバ装置。
【請求項１１】
請求項９に記載の辞書情報表示システムの端末装置。
【請求項１２】
タッチパネル式の表示部を備えた電子機器のコンピュータを制御するための辞書情報表示プログラムであって、
前記コンピュータを、
ユーザ操作に応じて入力された見出し語に対応する説明情報を、見出し語と当該見出し語の説明情報とを対応付けた辞書データから読み出して前記表示部に表示させる説明情報表示制御手段、
前記タッチパネルによりユーザ操作に応じたマルチタッチを検出するマルチタッチ検出手段、
前記マルチタッチ検出手段により検出されたマルチタッチの各タッチ位置が離間する方向に移動されたか又は接近する方向に移動されたかを判断するタッチ位置移動判断手段、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる表示情報制御手段、
前記表示部に表示された説明情報の中の任意の文字列にユーザ操作に応じてマーカを付加して表示させるマーカ付加表示制御手段、
このマーカ付加表示制御手段によりマーカが付加されて表示された文字列を登録するマーカ文字列登録手段
として機能させ、
前記表示情報制御手段は、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録手段に登録された文字列が含まれるか否かを判断するマーカ文字列判断手段を有し、
このマーカ文字列判断手段により前記マーカ文字列登録手段に登録された文字列が含まれると判断された場合は、当該文字列を優先して表示させる、
ことを特徴とする辞書情報表示プログラム。
【請求項１３】
タッチパネル式の表示部を備えた電子機器の辞書情報表示方法において、
ユーザ操作に応じて入力された見出し語に対応する説明情報を、見出し語と当該見出し語の説明情報とを対応付けた辞書データから読み出して前記表示部に表示させる説明情報表示制御ステップと、
前記タッチパネルによりユーザ操作に応じたマルチタッチを検出するマルチタッチ検出ステップと、
前記マルチタッチ検出ステップにより検出されたマルチタッチの各タッチ位置が離間する方向に移動されたか又は接近する方向に移動されたかを判断するタッチ位置移動判断ステップと、
前記タッチ位置移動判断ステップにより前記マルチタッチの各タッチ位置が離間する方向に移動されたか又は接近する方向に移動されたかの判断に応じて、前記説明情報表示制御ステップにより前記辞書データから読み出して前記表示部に表示させる説明情報を詳細化して表示させるか又は簡略化して表示させる表示情報制御ステップと、
前記表示部に表示された説明情報の中の任意の文字列にユーザ操作に応じてマーカを付加して表示させるマーカ付加表示制御ステップと、
このマーカ付加表示制御ステップによりマーカが付加されて表示された文字列を登録するマーカ文字列登録ステップ
とからなり、
前記表示情報制御ステップは、
前記タッチ位置移動判断ステップにより前記マルチタッチの各タッチ位置が離間する方向に移動されたか又は接近する方向に移動されたかの判断に応じて、前記説明情報表示制御ステップにより前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録ステップにより登録された文字列が含まれるか否かを判断するマーカ文字列判断ステップを有し、
このマーカ文字列判断ステップにより前記マーカ文字列登録ステップにより登録された文字列が含まれると判断された場合は、当該文字列を優先して表示させる、
ことを特徴とする辞書情報表示方法。
【発明の詳細な説明】
【技術分野】
【０００１】
本発明は、辞書から検索した情報を表示させるための辞書情報表示装置、辞書情報表示プログラム、辞書情報表示システム、およびそのサーバ装置、端末装置に関する。
【背景技術】
【０００２】
例えば、デジタルカメラにより撮影された複数枚の写真画像を縦横に配置しインデックス画面に表示させた場合に、当該インデックス画面を２本の指でタッチ（マルチタッチ）してピンチイン／ピンチアウトすることに応じて、同インデックス画面に表示される各写真画像を縮小／拡大して表示させる表示制御装置が考えられている（例えば、特許文献１参照。）。
【０００３】
これによれば、簡単な操作で前記インデックス画面により多くの画像を一覧表示させたり、注目する画像を中心に大きく表示させたりすることができる。
【０００４】
小型の電子機器において、新聞雑誌など、見出しや本文、図や写真が、予め異なる適切な大きさでレイアウトされた頁内の情報を閲覧する場合に、前記表示制御装置を応用すると、縮小した状態で大きな見出し文字を読んだり、注目した見出し文字の周辺を拡大してその本文を読んだりするのに便利である。
【先行技術文献】
【特許文献】
【０００５】
【特許文献１】特開２００８−２９９４７４号公報
【発明の概要】
【発明が解決しようとする課題】
【０００６】
一方、電子辞書に集録される辞書の情報は、各見出し語についての説明情報（主要な語義を含む複数の語義毎に類似の語義やその補足説明等が記述される）が、原則すべて同一サイズの文字で記述されている。
【０００７】
このため、前記見出しや本文が予め適切な大きさでレイアウトされた新聞雑誌等を閲覧するのとは異なり、前記表示制御装置を応用して拡大／縮小表示させて読むのには適さない。
【０００８】
従来、辞書の内容を小型の電子機器で閲覧するには、見出し語の説明情報を先頭の語義から順に表示させ、画面スクロールにより各語義の順に読み進めたり、注目した語義の用例や解説に切り替えて表示させたりする必要があり、様々なユーザにとって必要な情報量で簡便に閲覧することができなかった。
【０００９】
本発明は、このような課題に鑑みてなされたもので、辞書情報を様々なユーザにとって必要な情報量で簡便に閲覧することが可能になる辞書情報表示装置、辞書情報表示プログラム、辞書情報表示システム、およびそのサーバ装置、端末装置を提供することを目的とする。
【課題を解決するための手段】
【００１０】
本発明に係る辞書情報表示装置は、タッチパネル式の表示部と、ユーザ操作に応じて入力された見出し語に対応する説明情報を辞書データから読み出して前記表示部に表示させる説明情報表示制御手段と、前記タッチパネルによりユーザ操作に応じたマルチタッチを検出するマルチタッチ検出手段と、前記マルチタッチ検出手段により検出されたマルチタッチの各タッチ位置が互いに離間する方向に移動されたか又は互いに接近する方向に移動されたかを判断するタッチ位置移動判断手段と、前記タッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる語義表示情報制御手段と、を備えたことを特徴としている。
また本発明に係る他の辞書情報表示装置は、タッチパネル式の表示部と、ユーザ操作に応じて入力された見出し語に対応する説明情報を辞書データから読み出して前記表示部に表示させる説明情報表示制御手段と、前記タッチパネルによりユーザ操作に応じたマルチタッチを検出するマルチタッチ検出手段と、このマルチタッチ検出手段により検出されたマルチタッチの各タッチ位置が互いに離間する方向に移動されたか又は互いに接近する方向に移動されたかを判断するタッチ位置移動判断手段と、このタッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる説明情報を詳細化して表示させるか又は簡略化して表示させる表示情報制御手段と、前記表示部に表示された説明情報の中の任意の文字列にユーザ操作に応じてマーカを付加して表示させるマーカ付加表示制御手段と、このマーカ付加表示制御手段によりマーカが付加されて表示された文字列を登録するマーカ文字列登録手段とを備え、前記表示情報制御手段は、前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録手段に登録された文字列が含まれるか否かを判断するマーカ文字列判断手段を有し、このマーカ文字列判断手段により前記マーカ文字列登録手段に登録された文字列が含まれると判断された場合は、当該文字列を優先して表示させる、ことを特徴としている。
【発明の効果】
【００１４】
本発明によれば、辞書情報を様々なユーザにとって必要な情報量で簡便に閲覧することが可能になる。
【図面の簡単な説明】
【００１５】
【図１】本発明の辞書情報表示装置の実施形態に係る電子辞書装置１０の外観構成を示す正面図。
【図２】前記電子辞書装置１０の電子回路の構成を示すブロック図。
【図３】前記電子辞書装置１０の辞書データベース２２ｂに記憶された［英和辞書］の見出し語“life”に対応する説明情報の具体例を示す図。
【図４】本発明の辞書検索装置の他の実施形態に係る辞書機能を備えたタッチパネル式ＰＤＡ１０Ｔの外観構成を示す正面図。
【図５Ａ】前記電子辞書装置１０の見出し語検索処理、説明情報表示処理、表示情報制御処理を含めた情報表示処理（その１）を示すフローチャート。
【図５Ｂ】前記電子辞書装置１０の見出し語検索処理、説明情報表示処理、表示情報制御処理を含めた情報表示処理（その２）を示すフローチャート。
【図６】前記電子辞書装置１０の情報表示処理に伴う説明情報表示画面ＧＳでの表示動作の具体例（その１）を示す図。
【図７】前記電子辞書装置１０の情報表示処理に伴う説明情報表示画面ＧＳでの表示動作の具体例（その２）を示す図。
【図８】前記電子辞書装置１０の情報表示処理に伴う説明情報表示画面ＧＳでの表示動作の具体例（その３）を示す図。
【図９】前記電子辞書装置１０の情報表示処理に伴う説明情報表示画面ＧＳでの表示動作の具体例（その４）を示す図。
【図１０】前記電子辞書装置１０の情報表示処理に伴う説明情報表示画面ＧＳでの表示動作の具体例（その５）を示す図。
【図１１】前記電子辞書装置１０の情報表示処理に伴う説明情報表示画面ＧＳでの表示動作の具体例（その６）を示す図。
【図１２】前記電子辞書装置１０の情報表示処理に伴う説明情報表示画面ＧＳでの表示動作の具体例（その７）を示す図。
【図１３】前記電子辞書装置１０の情報表示処理に伴う説明情報表示画面ＧＳでの表示動作の具体例（その８）を示す図。
【図１４】タッチパネル式ＰＤＡ１０Ｔ′での辞書情報の情報表示処理に伴う説明情報表示画面ＧＳ上での両手操作に応じた表示動作の具体例（その１）を示す図。
【図１５】タッチパネル式ＰＤＡ１０Ｔ′での辞書情報の情報表示処理に伴う説明情報表示画面ＧＳ上での両手操作に応じた表示動作の具体例（その２）を示す図。
【図１６】前記電子辞書装置１０の他の実施形態の情報表示処理に伴う説明情報表示画面ＧＳでの表示動作の具体例を示す図。
【発明を実施するための形態】
【００１６】
以下図面により本発明の実施の形態について説明する。
【００１７】
図１は、本発明の辞書情報表示装置の実施形態に係る電子辞書装置１０の外観構成を示す正面図である。
【００１８】
この辞書情報表示装置は、以下に説明する電子辞書専用の携帯機器（電子辞書装置１０）として構成されるか、辞書機能を備えたタッチパネル式ＰＤＡ(personal digital assistants)１０Ｔ（図４参照）、ＰＣ(personal computer)、携帯電話、電子ブック、携帯ゲーム機等として構成される。
【００１９】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、スピーカ１５などを備えたキー入力部（キーボード）１４、および手書き入力部（サブ画面）１６が備えられる。
【００２０】
この手書き入力部（サブ画面）１６は、ユーザがペンや指等でタッチした位置を検出する（マルチタッチも含む）タッチ位置検出装置と表示装置が一体となった構造であり、キー入力部１４の中央手前側において例えば２５６×６４ドットのカラー液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能のアイコン入力領域、あるいは当該各入力領域が混在する領域に切り替えられる。
【００２１】
そして、前記手書き入力部（サブ画面）１６が手書き文字入力領域に切り替えられた状態での手書き入力に伴う軌跡はその液晶表示画面１６ｄにエコーバックして表示される。
【００２２】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出する（マルチタッチも含む）タッチ位置検出装置と表示装置が一体となった構造であり、カラー液晶表示画面１７ｄに透明タッチパネル１７ｔを重ねて構成される。
【００２３】
そして、この電子辞書装置１０は、例えば次のような辞書情報表示機能を有する。
【００２４】
辞書データから検索された見出し語に対応する説明情報の表示画面ＧＳにおいて、説明情報として記述されている複数の語義のうち代表する第１語義のみを表示させる「代表語義表示モード」と、例えば前記第１語義から第５語義までの所定数の主要な語義のみを表示させる「主要語義表示モード」と、各語義に対応付けられた類似の語義やその補足説明までも表示させる「詳細語義表示モード」との何れかに設定する機能を有する。
【００２５】
また、前記説明情報の表示画面ＧＳにおいて、ユーザの２本の指Ｐ１，Ｐ２によりマルチタッチしたタッチ位置ｔ１，ｔ２を一定時間保持した後にピンチアウト（タッチ位置間ｔ１−ｔ２を広げる操作）した場合に、当該ピンチアウト後のタッチ位置間ｔ１−ｔ２に応じて前記説明情報の情報量を増やして（詳細化して）表示させる機能を有する。
【００２６】
この情報量の詳細化とは、代表の語義（第１語義）から順位付けられた複数の語義を順番に増やす事、語義毎にその類似の語義と補足説明を順次増やす事の何れかを含む。
【００２７】
図１に示す具体例では、見出し語“life”に対応した説明情報表示画面ＧＳにおいて、前記「代表語義表示モード」に従いその代表となる第１語義“１(1)生命”のみ表示された状態で、当該第１語義“１(1)生命”を上下に挟んでマルチタッチした下方のタッチ位置ｔ２を、矢印ｍに示すように列方向に移動させてピンチアウトさせると、その移動後のタッチ位置間ｔ１−ｔ２の広げた範囲に応じて、前記第１語義“１(1)生命”に続く第２語義“２人生”〜第５語義“５(1)生活”が順次追加されて表示される。
【００２８】
また、これとは反対に、前記マルチタッチしたタッチ位置ｔ１，ｔ２を一定時間保持した後にピンチイン（タッチ位置間ｔ１−ｔ２を狭める操作）した場合に、当該ピンチイン後のタッチ位置間ｔ１−ｔ２に応じて前記説明情報の情報量を減らして（簡略化して）表示させる機能を有する。
【００２９】
この情報量の簡略化とは、代表の語義（第１の語義）から順位付けられた複数の語義を逆順に減らす事、語義毎にその類似の語義と補足説明を該補足説明から逆に減らす事の何れかを含む。
【００３０】
さらに、前記説明情報の表示画面ＧＳにおいて、ユーザの２本の指Ｐ１，Ｐ２によりマルチタッチしたタッチ位置ｔ１，ｔ２を一定時間保持しないでピンチアウトした場合に、当該ピンチアウト後のタッチ位置間ｔ１−ｔ２に応じて前記表示画面ＧＳに表示中の説明情報を文字または画像として拡大表示させる機能を有する。
【００３１】
またさらに、これとは反対に、前記マルチタッチしたタッチ位置ｔ１，ｔ２を一定時間保持しないでピンチインした場合に、当該ピンチイン後のタッチ位置間ｔ１−ｔ２に応じて前記表示画面ＧＳに表示中の説明情報を文字または画像として縮小表示させる機能を有する。
【００３２】
よって、前記見出し語検索された説明情報の表示画面ＧＳにおいて、マルチタッチした各タッチ位置ｔ１，ｔ２をピンチアウトしたりピンチインしたりして操作するだけで、その説明情報を、様々なユーザにとって必要な情報量で簡便に且つ見易く閲覧することが可能である。
【００３３】
図２は、前記電子辞書装置１０の電子回路の構成を示すブロック図である。
【００３４】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３５】
ＣＰＵ２１は、メモリ２２内に予め記憶された装置制御プログラム、あるいはＲＯＭカードなどの外部記録媒体２３から記録媒体読取部２４を介して前記メモリ２２に読み込まれた装置制御プログラム、あるいはインターネットＮ上のＷｅｂサーバ（この場合はプログラムサーバ）３０から通信部２５を介して前記メモリ２２に読み込まれた装置制御プログラムに応じて、回路各部の動作を制御する。
【００３６】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信部２５を介して接続されるインターネットＮ上の各Ｗｅｂサーバ３０，３１，…との通信信号、あるいは記録媒体読取部２４を介して外部接続されるＥＥＰＲＯＭ，ＲＡＭ，ＲＯＭなどのメモリ・カード（記録媒体）２３との接続通信信号に応じて起動される。
【００３７】
前記ＣＰＵ２１には、前記メモリ２２、記録媒体読取部２４、通信部２５、キー入力部１４、スピーカ１５、手書き入力部（サブ画面）１６、タッチパネル式カラー表示部（メイン画面）１７などが接続される。
【００３８】
メモリ２２に記憶される装置制御プログラムとしては、当該電子辞書装置１０の全体の動作を司るシステムプログラムや、通信部２５を介してインターネットＮ上の各Ｗｅｂサーバ３０，３１，…や図示しないユーザＰＣ(Personal Computer)などとデータ通信するための通信プログラムが記憶される。
【００３９】
また、辞書情報や各種テキストデータの表示だけでなく、検索語（文字列）の入力に応じて見出し語を検索する見出し語検索処理、検索された見出し語に対応した説明情報（順位付けられた複数の語義と各語義それぞれの類似の語義とその補足説明（例文も含む）など）の読み出し表示処理、この説明情報の読み出し表示処理に際してその説明情報表示画面ＧＳに対するマルチタッチの操作の仕方に応じて情報量を増やしたり減らしたり変更（詳細化／簡略化）して表示させる表示情報制御処理など、同メモリ２２内に記憶された辞書データベース２２ｂ、テキストデータベース２２ｃに基づく処理全般を制御するための各種情報表示制御プログラム２２ａが記憶される。
【００４０】
前記辞書データベース２２ｂには、［国語辞書］［英和辞書］［英英辞書］［和英辞書］等の複数種類の辞書データが予めあるいはダウンロードされて記憶されるもので、各辞書データには、例えば、５０音順やアルファベット順の見出し語に対応付けられて、当該見出し語の順位付けられた複数の語義と各語義それぞれの類似の語義とその補足説明（例文も含む）などからなる説明情報が集録されている。
【００４１】
図３は、前記電子辞書装置１０の辞書データベース２２ｂに記憶された［英和辞書］の見出し語“life”に対応する説明情報の具体例を示す図である。
【００４２】
前記テキストデータベース２２ｃには、様々なジャンルの文芸作品や報道記録、歴史演説集などのテキストデータが予めあるいはダウンロードされて記憶される。
【００４３】
また、前記メモリ２２のワークエリアには、検索語データメモリ２２ｄ、語義表示モードデータメモリ２２ｅ、マーカ単語帳データメモリ２２ｆが確保される。
【００４４】
前記検索語データメモリ２２ｄには、ユーザによって選択された辞書の辞書検索画面において、その検索語入力エリアに入力された検索語（文字列）が記憶される。またこの検索語データメモリ２２ｄには、前記入力された検索語に応じて検索された見出し語の説明情報の表示画面ＧＳ、あるいは任意のテキストデータの表示画面（ＧＴｗ：図４参照）において、カーソル操作やタッチ操作によって指定表示ｈされた単語が検索語として記憶される。
【００４５】
前記語義表示モードデータメモリ２２ｅには、ユーザによって予め設定された前記「代表語義表示モード」又は「主要語義表示モード」又は「詳細語義表示モード」の何れかのモードデータが記憶される。
【００４６】
前記マーカ単語帳データメモリ２２ｆには、前記説明情報の表示画面ＧＳにおいてユーザ操作に応じてマーカが付されて表示（マーカ表示Ｍ：図８参照）された単語が登録される。
【００４７】
なお、タッチパネル式カラー表示部（メイン画面）１７や手書き入力部（サブ画面）１６において検出されるタッチ位置（マルチタッチ含む）ｔｎの座標やその移動方向、タッチ位置間距離は、前記メモリ２２のワークエリアにリアルタイムに記憶される。
【００４８】
このように構成された電子辞書装置１０は、ＣＰＵ２１が前記情報表示制御プログラム２２ａ（見出し語検索処理、説明情報表示処理、表示情報制御処理等を実行するためのプログラムを含む）に記述された命令に従い回路各部の動作を制御し、ソフトウエアとハードウエアとが協働して動作することにより、以下の動作説明で述べる機能を実現する。
【００４９】
なお、この辞書検索装置の実施形態は、電子辞書装置１０により実現した場合について説明しているが、例えば図４に示すように、辞書機能を備えたタッチパネル式ＰＤＡ１０Ｔにても、前記情報表示制御プログラム２２ａの各処理に応じた入力および表示動作を、タッチパネル式カラー表示部１７（１７ｄ，１７ｔ）に各種のウインドウとして表示させることで実現可能であるのは勿論である。
【００５０】
図４は、本発明の辞書検索装置の他の実施形態に係る辞書機能を備えたタッチパネル式ＰＤＡ１０Ｔの外観構成を示す正面図である。
【００５１】
この図４におけるタッチパネル式ＰＤＡ１０Ｔでは、テキスト表示ウインドウＧＴｗにおいて指定表示ｈされた単語“life”を検索語とした見出し語検索処理、検索された見出し語“life”の説明情報表示処理、表示された説明情報を対象とする表示情報制御処理に対応した表示動作を示している。
【００５２】
例えば、前記図１で示した電子辞書装置１０のタッチパネル式カラー表示部（メイン画面）１７に表示させた説明情報表示画面ＧＳは、このタッチパネル式ＰＤＡ１０Ｔにおいて、説明情報表示ウインドウＧＳｗとして表示される。
【００５３】
次に、前記構成の電子辞書装置１０の説明情報表示処理に伴う表示情報制御機能について説明する。
【００５４】
図５Ａは、前記電子辞書装置１０の見出し語検索処理、説明情報表示処理、表示情報制御処理を含めた情報表示処理（その１）を示すフローチャートである。
【００５５】
図５Ｂは、前記電子辞書装置１０の見出し語検索処理、説明情報表示処理、表示情報制御処理を含めた情報表示処理（その２）を示すフローチャートである。
【００５６】
前記情報表示制御プログラム２２ａに基づき図５Ａ，図５Ｂにおける情報表示処理が起動されると、タッチパネル式カラー表示部１７（以下、タッチパネル表示部１７と称す）において、テキスト表示画面（ＧＴｗ：図４参照）が表示されたテキストの閲覧中であるか否かが判断される（ステップＳ１）。
【００５７】
ここで、テキストの閲覧中でないと判断された状態で（ステップＳ１（Ｎｏ））、辞書指定キー１４ｂのユーザ操作に応じて辞書データベース２２ｂに記憶された何れかの辞書（例えば［英和辞書］）が選択されると、選択された［英和辞書］に応じた検索語の入力画面（図示せず）がタッチパネル表示部１７に表示される（ステップＳ２ａ）。
【００５８】
この検索語入力画面において、文字入力キー１４ａのユーザ操作に応じて所望の検索語（例えば“life”）が入力されると（ステップＳ３ａ）、入力された検索語“life”と先頭一致する見出し語が前記［英和辞書］から検索され、検索された見出し語の一覧画面（図示せず）がタッチパネル表示部１７に表示される（ステップＳ４）。
【００５９】
一方、前記ステップＳ１において、例えば英文テキストの閲覧中であると判断された場合に（ステップＳ１（Ｙｅｓ））、当該閲覧中である英文テキストの中の検索対象の文字列（例えば“life”）がユーザ操作に応じて指定表示ｈ（図４参照）されると、指定表示ｈされた文字列“life”の文字種に応じた辞書（例えば［英和辞書］［英英辞書］［英類語辞書］）の選択画面（図示せず）がタッチパネル表示部１７に表示される（ステップＳ２ｂ）。
【００６０】
この辞書選択画面において、ユーザ操作に応じて所望の辞書（例えば［英和辞書］）が選択されると（ステップＳ３ｂ）、この選択された［英和辞書］から、前記指定表示ｈされた文字列“life”を検索語として先頭一致する見出し語が検索され、検索された見出し語の一覧画面（図示せず）がタッチパネル表示部１７に表示される（ステップＳ４）。
【００６１】
そして、前記見出し語一覧画面において、ユーザ操作に応じて所望の見出し語（例えば“life”）が選択されると（ステップＳ５）、語義表示モードデータメモリ２２ｅに設定記憶されているモードデータが読み出され、現在の語義表示モードが「代表語義表示モード」「主要語義表示モード」「詳細語義表示モード」の何れであるかが判断される（ステップＳ６）。
【００６２】
ここで、「代表語義表示モード」であると判断された場合は、前記選択された見出し語“life”に対応する説明情報（図３参照）のうち、先頭に記述された第１語義の１単語のみが読み出され、例えば図６（Ａ）に示すように、見出し語“life”の説明情報表示画面ＧＳに“１(1)生命”として表示される（ステップＳ７ａ）。
【００６３】
また、「主要語義表示モード」であると判断された場合は、前記選択された見出し語“life”に対応する説明情報（図３参照）のうち、第１語義から第５語義までそれぞれその先頭に記述された１単語が読み出され、例えば図６（Ｃ）に示すように、見出し語“life”の説明情報表示画面ＧＳに“１(1)生命”“２人生”“３一時期”“４耐用期間”“５(1)生活”として一覧表示される（ステップＳ７ｂ）。
【００６４】
また、「詳細語義表示モード」であると判断された場合は、前記選択された見出し語“life”に対応する全ての説明情報（図３参照）が、その発音記号、全ての語義、（）内の全ての補足説明、［用例］マーク等も含めて読み出され、見出し語“life”の説明情報表示画面ＧＳに表示される（ステップＳ７ｃ）。
【００６５】
なお、ユーザ操作に応じて、前記語義表示モードデータメモリ２２ｅに設定記憶されているモードデータが別の語義表示モードのモードデータに変更された場合は（ステップＳ８（Ｙｅｓ））、当該変更語の語義表示モードに応じた説明情報の内容で前記選択された見出し語に対応する説明情報表示画面ＧＳが表示される（ステップＳ６→Ｓ７ａ〜Ｓ７ｃ）。
【００６６】
図６は、前記電子辞書装置１０の情報表示処理に伴う説明情報表示画面ＧＳでの表示動作の具体例（その１）を示す図である。
【００６７】
例えば、図６（Ａ）に示すように、前記「代表語義表示モード」に従い、［英和辞書］から検索された見出し語“life”に対応する説明情報が、その第１語義のみの“１(1)生命”として説明情報表示画面ＧＳに表示された状態で（ステップＳ１〜Ｓ７ａ）、表示されている見出し語“life”と第１語義「生命」の２行に渡る列方向の２点ｔ１，ｔ２が二本の指Ｐ１，Ｐ２でタッチされ、そのタッチ位置ｔ１，ｔ２が一定時間（例えば０．５秒）保持されたと判断されると共に（ステップＳ１９，Ｓ２０（Ｙｅｓ））、図６（Ｂ）（Ｃ）の矢印ｍで示すように、そのタッチ位置間ｔ１−ｔ２が列方向に広げられたと判断されると（ステップＳ２１（Ｙｅｓ））、当該列方向に広げられたタッチ範囲ｔ１−ｔ２に応じて、当初のタッチ範囲に表示されていた第１語義「生命」に続く第２語義「人生」〜第５語義「生活」が順番に、それぞれその語義の説明行を追加して表示される（ステップＳ２４）。
【００６８】
なお、図６（Ｃ）で示したように、表示されている見出し語“life”から第５語義「生活」の複数行に渡る列方向の２点ｔ１，ｔ２が二本の指Ｐ１，Ｐ２でタッチされ、そのタッチ位置ｔ１，ｔ２が一定時間（例えば０．５秒）保持されたと判断されると共に（ステップＳ１９，Ｓ２０（Ｙｅｓ））、前述とは逆に、図６（Ｂ）→（Ａ）に示すように、そのタッチ位置間ｔ１−ｔ２が列方向に狭められたと判断されると（ステップＳ２１（Ｙｅｓ））、当該列方向に狭められたタッチ範囲ｔ１−ｔ２に応じて、当初のタッチ範囲に表示されていた第１語義「生命」〜第５語義「生活」が逆順に、それぞれその語義の説明行を削除して表示される（ステップＳ２４）。
【００６９】
これにより、「代表語義表示モード」では、所望の見出し語に対応する最も代表的な語義だけを直ちに見ることができるだけでなく、必要に応じて異なる別の語義をも素早く追加したり削除したりして見ることができる。
【００７０】
一方、例えば図６（Ａ）で示したように、説明情報表示画面ＧＳに表示された第１語義「生命」の説明行を上下に挟んで列方向にマルチタッチした２点のタッチ位置ｔ１，ｔ２が、一定時間（例えば０．５秒）保持されたと判断される前に（ステップＳ１９，Ｓ２０（Ｎｏ））、同列方向に広げられたり狭められたりしたと判断された場合は（ステップＳ２５（Ｙｅｓ））、その変化後のタッチ範囲ｔ１−ｔ２に応じて、当初のタッチ範囲に表示されていた説明情報（この場合は“１(1)生命”）の文字列が拡大されたり縮小されたりして表示される（ステップＳ２６）。
【００７１】
図７は、前記電子辞書装置１０の情報表示処理に伴う説明情報表示画面ＧＳでの表示動作の具体例（その２）を示す図である。
【００７２】
例えば、図７（Ａ）に示すように、前記「代表語義表示モード」に従い、［英和辞書］から検索された見出し語“life”に対応する説明情報が、その第１語義のみの“１(1)生命”として説明情報表示画面ＧＳに表示された状態で（ステップＳ１〜Ｓ７ａ）、表示されている第１語義「生命」の説明行が二本の指Ｐ１，Ｐ２でタッチされ、そのタッチ位置ｔ１，ｔ２が一定時間（例えば０．５秒）保持されたと判断されると共に（ステップＳ１１，Ｓ１２（Ｙｅｓ））、図７（Ｂ）（Ｃ）の矢印ｎで示すように、そのタッチ位置間ｔ１−ｔ２が当該説明行の方向に広げられたと判断されると（ステップＳ１３（Ｙｅｓ））、当該行方向に広げられたタッチ範囲ｔ１−ｔ２に応じて、当初のタッチ範囲に表示されていた第１語義「生命」に対応するところの類似語義や補足説明等を含む詳細説明情報「（一般に）生命，生命現象：…」が順次表示される（ステップＳ１６）。
【００７３】
なお、図７（Ｃ）で示したように、詳細表示されている第１語義「生命」の説明行の行頭と行末が二本の指Ｐ１，Ｐ２でタッチされ、そのタッチ位置ｔ１，ｔ２が一定時間（例えば０．５秒）保持されたと判断されると共に（ステップＳ１１，Ｓ１２（Ｙｅｓ））、前述とは逆に、図７（Ｂ）→（Ａ）に示すように、そのタッチ位置間ｔ１−ｔ２が当該説明行を短くする方向に狭められたと判断されると（ステップＳ１３（Ｙｅｓ））、当該行方向に狭められたタッチ範囲ｔ１−ｔ２に応じて、当初のタッチ範囲に表示されていた詳細説明情報「（一般に）生命，生命現象：…」が順次簡略化され、先頭の語義「生命」のみが表示される（ステップＳ１６）。
【００７４】
これにより、「代表語義表示モード」では、所望の見出し語に対応する最も代表的な語義だけを直ちに見ることができるだけでなく、必要に応じて当該代表語義に対応する説明情報を素早く詳細化したり簡略化したりして見ることができる。
【００７５】
一方、例えば図７（Ａ）で示したように、説明情報表示画面ＧＳに表示された第１語義「生命」の文字列の前後を挟んで行方向にマルチタッチした２点のタッチ位置ｔ１，ｔ２が、一定時間（例えば０．５秒）保持されたと判断される前に（ステップＳ１１，Ｓ１２（Ｎｏ））、同行方向に広げられたり狭められたりしたと判断された場合は（ステップＳ１７（Ｙｅｓ））、その変化後のタッチ範囲ｔ１−ｔ２に応じて、当初のタッチ範囲に表示されていた文字列「生命」が拡大されたり縮小されたりして表示される（ステップＳ１８）。
【００７６】
図８は、前記電子辞書装置１０の情報表示処理に伴う説明情報表示画面ＧＳでの表示動作の具体例（その３）を示す図である。
【００７７】
例えば、前記図７（Ｃ）で示したように、所望の見出し語“life”の第１語義に対応する詳細な説明情報「（一般に）生命，生命現象：［用例］」が表示された状態で、ユーザ操作に応じて注目した文字列（例えば「生命現象」）にマーカが付加されると（ステップＳ９（Ｙｅｓ））、図８（Ａ）に示すように、そのマーカを付加した文字列「生命現象」が指定色でマーカ表示Ｍされると共に、前記見出し語“life”と対応付けられてマーカ単語帳データメモリ２２ｆに登録される（ステップＳ１０）。
【００７８】
このように、マーカ表示Ｍされた文字列「生命現象」を含む説明情報が表示された状態で、その説明行の行頭と行末が二本の指Ｐ１，Ｐ２でタッチされ、そのタッチ位置ｔ１，ｔ２が一定時間（例えば０．５秒）保持されたと判断されると共に（ステップＳ１１，Ｓ１２（Ｙｅｓ））、図８（Ｂ）（Ｃ）に示すように、そのタッチ位置間ｔ１−ｔ２が当該説明行を短くする方向に狭められたと判断されると（ステップＳ１３（Ｙｅｓ））、そのタッチ範囲ｔ１−ｔ２内にマーカ表示Ｍされた文字列「生命現象」があると判断され（ステップＳ１４（Ｙｅｓ）、当該マーカ付き文字列「生命現象」の表示優先度が他の文字列よりも高く設定される（ステップＳ１５）。
【００７９】
すると、行方向に狭められたタッチ範囲ｔ１−ｔ２に応じて、当初のタッチ範囲に表示されていた詳細説明情報「（一般に）生命，生命現象：…」が順次簡略化されて表示されると共に、前記表示優先度の高く設定されたマーカ付き文字列「生命現象」のみが残されて表示される（ステップＳ１６）。
【００８０】
なお、前記図６で示したように、２点のタッチ位置ｔ１，ｔ２を語義の説明行と直交する列方向に広げたり狭めたりすることで、順位付けられた各語義を追加表示させたり、削除表示させたりする場合でも、表示される説明情報の中にマーカ付き文字列が含まれる場合には、当該マーカ付き文字列の表示優先度が高く設定され、最優先で追加表示または削除表示される（ステップＳ２２〜Ｓ２４）。
【００８１】
これにより、前記所望の見出し語の説明情報表示画面ＧＳにおいて、マルチタッチしたタッチ範囲ｔ１−ｔ２を広げたり狭めたりすることで、必要に応じて、表示される説明情報を詳細化したり簡略化したりしてその情報量を変化させて表示させる場合でも、マーカ単語帳データメモリ２２ｆに登録したユーザにとって重要であると認識されている単語の文字列については、常に優先して表示させることができる。
【００８２】
図９は、前記電子辞書装置１０の情報表示処理に伴う説明情報表示画面ＧＳでの表示動作の具体例（その４）を示す図である。
【００８３】
前記図７、図８を参照して説明した具体例では、説明情報表示画面ＧＳに表示されたある語義の説明行に対応させてマルチタッチした２点のタッチ位置ｔ１，ｔ２を、当該説明行の行方向に広げたり狭めたりすることに応じて、該当する語義の説明情報だけを詳細化したり簡略化したりして表示させる構成とした（ステップＳ１１〜Ｓ１６）。これに対し、図９（Ａ）に示すように、説明情報表示画面ＧＳにおける何れの説明行にも対応しない位置でマルチタッチして一定時間保持した２点のタッチ位置ｔ１，ｔ２を、図９（Ｂ）（Ｃ）に示すように、行方向に広げたり狭めたりした場合には、そのときに何らかの説明情報が表示されている語義の全てについて、それぞれその語義の説明情報を共に詳細化したり簡略化したりして表示させる構成としてもよい。
【００８４】
そして、前記図９（Ａ）で示したように、説明情報表示画面ＧＳにおける何れの説明行にも対応しない位置でマルチタッチした２点のタッチ位置ｔ１，ｔ２が、一定時間保持されたと判断される前に行方向に広げられたり狭められたりしたと判断された場合には、その変化後のタッチ範囲ｔ１−ｔ２に応じて、そのとき表示中の全ての説明情報の文字列を共に拡大したり縮小したりして表示させる構成としてもよい。
【００８５】
図１０は、前記電子辞書装置１０の情報表示処理に伴う説明情報表示画面ＧＳでの表示動作の具体例（その５）を示す図である。
【００８６】
例えば、図１０（Ａ）に示すように、前記「詳細語義表示モード」に従い、［英和辞書］から検索された見出し語“life”に対応する説明情報が、その説明情報表示画面ＧＳに表示可能な範囲で先頭から詳細表示された状態で（ステップＳ１〜Ｓ７ｃ）、表示されている第２語義「人生」に対応する説明行の中の任意の範囲「実生活〜［用例］」の先頭と末尾が二本の指Ｐ１，Ｐ２でタッチされ、そのタッチ位置ｔ１，ｔ２が一定時間（例えば０．５秒）保持されたと判断されると共に（ステップＳ１１，Ｓ１２（Ｙｅｓ））、図１０（Ｂ）（Ｃ）の矢印ｎで示すように、その行末側のタッチ位置ｔ２が行頭側のタッチ位置ｔ１に向けて狭められたと判断されると（ステップＳ１３（Ｙｅｓ））、当該行頭に向けて狭められたタッチ範囲ｔ１−ｔ２に応じて、当初のタッチ範囲に表示されていた第２語義「人生」に対応する説明情報「実生活〜［用例］」がその行末側から順次畳み込まれて（簡略化されて）表示される（ステップＳ１６）。
【００８７】
これにより、「詳細語義表示モード」では、所望の見出し語に対応する各語義それぞれの詳細な説明情報を直ちに見ることができるだけでなく、必要に応じて何れかの語義に対応する一部の説明情報を素早く畳み込み簡略化して見ることができる。
【００８８】
図１１は、前記電子辞書装置１０の情報表示処理に伴う説明情報表示画面ＧＳでの表示動作の具体例（その６）を示す図である。
【００８９】
例えば、図１１（Ａ）に示すように、前記「主要語義表示モード」に従い、［英和辞書］から検索された見出し語“life”に対応する説明情報が、その第１語義から第５語義までの各先頭の語義“１(1)生命”“２人生”“３一時期”“４耐用期間”“５(1)生活”として説明情報表示画面ＧＳに一覧表示された状態で（ステップＳ１〜Ｓ７ｂ）、図１１（Ｂ）に示すように、表示されている第１語義「生命」と第２語義「人生」との行間を挟む列方向の２点ｔ１，ｔ２が二本の指Ｐ１，Ｐ２で順次タッチされ、そのタッチ位置ｔ１，ｔ２が一定時間（例えば０．５秒）保持されたと判断されると共に（ステップＳ１９，Ｓ２０（Ｙｅｓ））、図１１（Ｃ）（Ｄ）の矢印ｍで示すように、そのタッチ位置間ｔ１−ｔ２が列方向に広げられたと判断されると（ステップＳ２１（Ｙｅｓ））、当該列方向に広げられたタッチ範囲ｔ１−ｔ２に応じて、当初のタッチ範囲に表示されていた上位側の第１語義「生命」に属する２番目以降の副語義「(2)命」「(3)人」「(4)生き物」が順番に、それぞれその副語義の説明行を追加して表示される（ステップＳ２４）。
【００９０】
なお、図１１（Ｄ）で示したように、表示されている第１語義「生命」の副語義「(2)命」「(3)人」「(4)生き物」の複数行を挟む列方向の２点ｔ１，ｔ２が二本の指Ｐ１，Ｐ２でタッチされ、そのタッチ位置ｔ１，ｔ２が一定時間（例えば０．５秒）保持されたと判断されると共に（ステップＳ１９，Ｓ２０（Ｙｅｓ））、前述とは逆に、図１１（Ｃ）→（Ｂ）に示すように、その下位側のタッチ位置ｔ２が上位側のタッチ位置ｔ１に向けて狭められたと判断されると（ステップＳ２１（Ｙｅｓ））、当該タッチ位置ｔ１に向けて狭められたタッチ範囲ｔ１−ｔ２に応じて、当初のタッチ範囲に表示されていた各副語義「(2)命」〜「(4)生き物」が逆順に、それぞれその副語義の説明行が畳み込まれて（削除されて）表示される（ステップＳ２４）。
【００９１】
これにより、「主要語義表示モード」では、所望の見出し語に対応する主要な語義だけを一覧にて直ちに見ることができるだけでなく、必要に応じて所望の語義に属する副語義を開いたり畳み込んだりして見ることができる。
【００９２】
図１２は、前記電子辞書装置１０の情報表示処理に伴う説明情報表示画面ＧＳでの表示動作の具体例（その７）を示す図である。
【００９３】
例えば、図１２（Ａ）に示すように、前記「主要語義表示モード」からの各語義それぞれの詳細化表示に従い、［英和辞書］から検索された見出し語“life”に対応する第１語義「生命」〜第５語義「生活」の各説明情報が、その説明情報表示画面ＧＳに表示可能な範囲で詳細表示された状態で（ステップＳ１〜Ｓ７ｃ，Ｓ１１〜Ｓ１６）、当該第１語義「生命」〜第５語義「生活」までの説明情報の範囲が斜めの方向にマルチタッチされ、その２点のタッチ位置ｔ１，ｔ２が、矢印ｒ１，ｒ２に示すように狭められたと判断されると（ステップＳ２７，Ｓ２８（Ｙｅｓ））、そのタッチ範囲ｔ１−ｔ２の変化に応じて、図１２（Ｂ）に示すように、当初のタッチ範囲に対応したところの説明情報の文字列が縮小されて表示される（ステップＳ２９）。
【００９４】
また、例えば、図１２（Ｃ）に示すように、前記「主要語義表示モード」からの各語義それぞれの詳細化表示に従い、［英和辞書］から検索された見出し語“life”に対応する第１語義「生命」〜第１０語義「弾力」の各説明情報が、その説明情報表示画面ＧＳに表示可能な範囲で詳細表示された状態で（ステップＳ１〜Ｓ７ｃ，Ｓ１１〜Ｓ１６）、そのうち第７語義「生気」の付近の説明情報が斜めの方向にマルチタッチされ、その２点のタッチ位置ｔ１，ｔ２が、矢印ｒ１，ｒ２に示すように広げられたと判断されると（ステップＳ２７，Ｓ２８（Ｙｅｓ））、そのタッチ範囲ｔ１−ｔ２の変化に応じて、図１２（Ｄ）に示すように、当初のタッチ範囲に対応した第７語義「生気」の説明情報を中心とするその前後の各語義の説明情報の文字列が拡大されて表示される（ステップＳ２９）。
【００９５】
これにより、所望の見出し語の説明情報表示画面ＧＳに表示された説明情報のうち、必要な範囲の説明情報を斜め方向にマルチタッチして広げたり狭めたりすることで、当該タッチ範囲の説明情報を中心に拡大したり縮小したりして見易く表示させることができる。
【００９６】
図１３は、前記電子辞書装置１０の情報表示処理に伴う説明情報表示画面ＧＳでの表示動作の具体例（その８）を示す図である。
【００９７】
図１３（Ａ）に示すように、説明情報表示画面ＧＳにおける何れの説明行にも対応しない位置でマルチタッチした２点のタッチ位置（Ｐ１）（Ｐ２）が、一定時間保持されたと判断される前に、図１３（Ｂ）（Ｃ）の矢印ｎ１，ｎ２に示すように、広げられたり狭められたりしたと判断された場合には、その変化後のタッチ範囲（Ｐ１）−（Ｐ２）に応じて、そのとき表示中の全ての説明情報の文字列を画像として拡大したり縮小したりして表示させる構成としてもよい。
【００９８】
したがって、前記構成の電子辞書装置１０の説明情報表示処理に伴う表示情報制御機能によれば、辞書の見出し語の説明情報表示画面ＧＳにおいて、２点のタッチ位置ｔ１，ｔ２の初期検出時における２点間範囲ｔ１−ｔ２に対して、当該タッチ位置移動後の２点間範囲ｔ１−ｔ２が離間した（広げられた）か又は接近した（狭められた）かに応じて、当該画面ＧＳに表示される説明情報を詳細に表示したり簡略化して表示したりできる。
【００９９】
このため、辞書情報を様々なユーザにとって必要な情報量で簡便に閲覧することが可能になる。
【０１００】
また、前記構成の電子辞書装置１０の説明情報表示処理に伴う表示情報制御機能によれば、前記説明情報表示画面ＧＳ上での２点のタッチ位置ｔ１，ｔ２が、ユーザ任意の語義の行位置に対応して離間または接近して変化した場合は、当該語義と対応した類似の語義を詳細に表示したり簡略化して表示したりできるので、表示された所望の語義だけを簡単に選択してその詳細な内容を素早く見たり、非表示としたりすることができる。
【０１０１】
また、前記構成の電子辞書装置１０の説明情報表示処理に伴う表示情報制御機能によれば、前記説明情報表示画面ＧＳ上での２点のタッチ位置ｔ１，ｔ２が語義の説明行と直交する列方向に離間または接近して変化した場合は、表示中の語義と順位付けられた別の語義の説明行を順番に追加して表示したりその説明行を逆順に削除して表示したりできるので、表示された語義以外の別の語義も必要なだけ素早く確認できる。
【０１０２】
また、前記構成の電子辞書装置１０の説明情報表示処理に伴う表示情報制御機能によれば、前記説明情報表示画面ＧＳに表示される説明情報について、マーカ単語帳データメモリ２２ｆに登録されてマーカ表示Ｍされる文字列が含まれる場合には、当該マーカ表示Ｍされる文字列は、前記２点のタッチ位置ｔ１，ｔ２が離間することによる詳細表示、又は接近することによる簡略表示の何れにおいても、常に最優先にして表示できる。
【０１０３】
また、前記構成の電子辞書装置１０の説明情報表示処理に伴う表示情報制御機能によれば、前記説明情報表示画面ＧＳにおいて、２点のタッチ位置ｔ１，ｔ２を離間または接近させることに応じた説明情報の詳細表示または簡略表示の処理は、当該タッチ位置ｔ１，ｔ２がその初期検出時に一定時間保持された場合に実行し、一定時間保持されないで離間または接近された場合は、タッチ位置移動前後の２点間の離間範囲または接近範囲に応じて、表示中の説明情報の文字サイズを拡大又は縮小して表示する。
【０１０４】
このため、前記説明情報表示画面ＧＳ上でのマルチタッチによる似たようなユーザ操作であっても、説明情報の情報量を必要に応じて詳細化または簡略化して表示させたい場合と、表示された説明情報の文字列自体を拡大または縮小して表示させたい場合とを簡単に切り替えて操作できる。
【０１０５】
さらに、前記構成の電子辞書装置１０の説明情報表示処理に伴う表示情報制御機能によれば、前記説明情報表示画面ＧＳ上での２点のタッチ位置ｔ１，ｔ２が当該表示画面の斜め方向に離間または接近されて移動された場合は、タッチ位置移動前後の２点間範囲に応じて、表示中の説明情報の文字列が拡大または縮小されて表示される。
【０１０６】
このため、表示中の説明情報を必要に応じて拡大または縮小して表示させるユーザ操作を誤り無く且つ簡単に行うことができる。
【０１０７】
（他の実施形態）
前記図６〜図１３を参照して説明した各実施形態では、何れの場合も、片手の２本の指Ｐ１，Ｐ２により説明情報表示画面ＧＳ上をマルチタッチしてユーザ操作するものとして説明したが、片手１本ずつの２本の指Ｐ１，Ｐ２によりマルチタッチしてユーザ操作しても、前記各実施形態同様に動作可能であるのは勿論である。
【０１０８】
図１４は、タッチパネル式ＰＤＡ１０Ｔ′での辞書情報の情報表示処理に伴う説明情報表示画面ＧＳ上での両手操作に応じた表示動作の具体例（その１）を示す図である。
【０１０９】
例えば図１４（Ａ）に示すように、「主要語義表示モード」での見出し語“word”に対応した第１語義「単語」〜第５語義「命令」が一覧表示されてなる説明情報表示画面ＧＳにおいて、両手の掌でＰＤＡ１０Ｔ′を把持しながら、左手の親指Ｐ１により第４語義「約束」の位置をタッチして保持すると共に、右手の親指Ｐ２により第３語義「知らせ」の位置をタッチし、ここから矢印ｍに示すように、第１語義「単語」から第３語義「知らせ」の各語義行に直交する列方向へスライドさせる。
【０１１０】
すると、図１４（Ｂ）に示すように、前記右手の親指Ｐ２のタッチ位置を列方向にスライドさせた範囲の第１語義「単語」から第３語義「知らせ」までが順次逆順に畳み込まれて表示される。
【０１１１】
図１５は、タッチパネル式ＰＤＡ１０Ｔ′での辞書情報の情報表示処理に伴う説明情報表示画面ＧＳ上での両手操作に応じた表示動作の具体例（その２）を示す図である。
【０１１２】
例えば図１５（Ａ）に示すように、「主要語義表示モード」での見出し語“word”に対応した第１語義「単語」と第２語義「発言」とが一覧表示されてなる説明情報表示画面ＧＳにおいて、両手の掌でＰＤＡ１０Ｔ′を把持しながら、左手の親指Ｐ１により第２語義「発言」の位置をタッチして保持すると共に、右手の親指Ｐ２により当該第２語義「発言」より下の位置をタッチし、ここから矢印ｍに示すように、各語義行に直交する下の方向へスライドさせる。
【０１１３】
すると、図１５（Ｂ）に示すように、前記右手の親指Ｐ２のタッチ位置を下方向にスライドさせた範囲に応じて、前記第１語義「単語」と第２語義「発言」とに続く第３語義「知らせ」〜第５語義「命令」が順番に追加されて表示される。
【０１１４】
また、前記実施形態では、説明情報表示画面ＧＳ上でマルチタッチした２点のタッチ位置ｔ１，ｔ２を、一定時間保持した後に、そのタッチ範囲ｔ１−ｔ２を広げるか狭めるかした場合に、当該画面ＧＳ内の説明情報を詳細化したり簡略化したりして表示させ、一方、前記２点のタッチ位置ｔ１，ｔ２を、一定時間保持する前に、そのタッチ範囲ｔ１−ｔ２を広げるか狭めるかした場合は、表示中の説明情報の文字列を拡大したり縮小したりして表示させる構成とした。これに対し、図１６で示す操作表示方法としても良い。
【０１１５】
図１６は、前記電子辞書装置１０の他の実施形態の情報表示処理に伴う説明情報表示画面ＧＳでの表示動作の具体例を示す図である。
【０１１６】
図１６に示すように、３本の指Ｐ１，Ｐ２，Ｐ３でそのタッチ範囲を広げたり狭めたりした場合には、当該画面ＧＳ内のタッチ範囲に応じた説明情報を詳細化したり簡略化したりして表示させる。一方、２本の指Ｐ１，Ｐ２でそのタッチ範囲を広げたり狭めたりした場合には、表示中の説明情報の文字列を拡大したり縮小したりして表示させる。
【０１１７】
なお、前記各実施形態において記載した電子辞書装置１０による各処理の手法およびデータベース、すなわち、図５Ａのフローチャートに示す情報表示処理（その１）、図５Ｂのフローチャートに示す情報表示処理（その２）等の各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部１７を備えた電子機器のコンピュータは、この外部記録媒体２３に記憶されたプログラムをメモリ２２に読み込み、この読み込んだプログラムによって動作が制御されることにより、前記各実施形態において説明した説明情報表示画面ＧＳにおけるマルチタッチの操作の仕方に応じた説明情報の詳細化または簡略化表示機能を実現し、前述した手法による同様の処理を実行することができる。
【０１１８】
また、前記各手法を実現するためのプログラムのデータは、プログラムコードの形態としてネットワークＮ上を伝送させることができ、このプログラムデータを、ネットワークＮに接続されたタッチパネル式表示部１７を備える電子機器のコンピュータに通信部２５によって取り込むことで、前述した説明情報表示画面ＧＳにおけるマルチタッチの操作の仕方に応じた説明情報の詳細化または簡略化表示機能を実現することもできる。
【０１１９】
また、前記実施形態では、本発明の辞書情報表示装置を、電子辞書専用の携帯機器（電子辞書装置１０）、辞書機能を備えたタッチパネル式ＰＤＡ１０Ｔ、ＰＣ、携帯電話、電子ブック、携帯ゲーム機等の電子機器単体にて実現する場合として説明した。
【０１２０】
これに対し、ネットワークＮ上のＷｅｂサーバ（辞書サーバ）３１に、前述した辞書データベース２２ｂと情報表示制御プログラム２２ａに基づく見出し語検索機能と、検索された見出し語の説明情報読み出し機能と、マルチタッチの操作の仕方に応じた説明情報の詳細化または簡略化出力機能を持たせ、当該Ｗｅｂサーバ（辞書サーバ）３１にタッチパネル式表示部１７を備えた端末装置からアクセスし、ユーザ入力された検索語に対応した見出し語の説明情報表示画面ＧＳを表示させると共に、当該説明情報表示画面ＧＳ上でのユーザ操作に応じたタッチ位置ｔ１，ｔ２，…の検出情報を送信することで、前記同様に表示された説明情報の内容を詳細化して表示させたり、簡略化して表示させたりする構成としてもよい。
【０１２１】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１２２】
以下に、本願出願の当初の特許請求の範囲に記載された発明を付記する。
【０１２３】
［１］
見出し語と当該見出し語の複数の語義からなる説明情報とを対応付けた辞書データを記憶している辞書記憶手段と、
タッチパネル式の表示部と、
ユーザ操作に応じて入力された見出し語に対応する説明情報を前記辞書データから読み出して前記表示部に表示させる説明情報表示制御手段と、
前記タッチパネルによりユーザ操作に応じたマルチタッチを検出するマルチタッチ検出手段と、
このマルチタッチ検出手段により検出されたマルチタッチの各タッチ位置が離間する方向に移動されたか又は接近する方向に移動されたかを判断するタッチ位置移動判断手段と、
このタッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる表示情報制御手段と、
を備えたことを特徴とする辞書情報表示装置。
【０１２４】
［２］
前記タッチ位置移動判断手段は、前記マルチタッチ検出手段により検出されたマルチタッチの各タッチ位置が、前記説明情報表示制御手段により前記表示部に表示された語義の説明行に対応して離間する方向に移動されたか又は接近する方向に移動されたかを判断する語義行対応移動判断手段を有し、
前記表示情報制御手段は、前記語義行対応移動判断手段により前記マルチタッチの各タッチ位置が、前記表示部に表示された語義の説明行に対応して離間する方向に移動されたか又は接近する方向に移動されたかの判断に応じて、前記説明情報表示制御手段により前記辞書データから読み出して前記表示部に表示させる当該説明行の語義の説明情報を詳細化して表示させるか又は簡略化して表示させる指定語義表示情報制御手段を有する、
ことを特徴とする［１］に記載の辞書情報表示装置。
【０１２５】
［３］
前記タッチ位置移動判断手段は、前記マルチタッチ検出手段により検出されたマルチタッチの各タッチ位置が、前記説明情報表示制御手段により前記表示部に表示された語義の説明行と直交する列方向に離間する方向で移動されたか又は接近する方向で移動されたかを判断する語義列対応移動判断手段を有し、
前記表示情報制御手段は、前記語義列対応移動判断手段により前記マルチタッチの各タッチ位置が、前記表示部に表示された語義の説明行と直交する列方向に離間する方向で移動されたか又は接近する方向で移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる語義表示情報制御手段を有する、
ことを特徴とする［１］または［２］に記載の辞書情報表示装置。
【０１２６】
［４］
前記表示部に表示された説明情報の中の任意の文字列にユーザ操作に応じてマーカを付加して表示させるマーカ付加表示制御手段と、
このマーカ付加表示制御手段によりマーカが付加されて表示された文字列を登録するマーカ文字列登録手段とを備え、
前記表示情報制御手段は、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録手段に登録された文字列が含まれるか否かを判断するマーカ文字列判断手段を有し、
このマーカ文字列判断手段により前記マーカ文字列登録手段に登録された文字列が含まれると判断された場合は、当該文字列を優先して表示させる、
ことを特徴とする［１］ないし［３］の何れかに記載の辞書情報表示装置。
【０１２７】
［５］
前記マルチタッチ検出手段により検出されたマルチタッチの各タッチ位置が一定時間保持されたか否かを判断するタッチ位置保持判断手段を備え、
前記表示情報制御手段は、
前記タッチ位置保持判断手段により前記マルチタッチの各タッチ位置が一定時間保持されたと判断された場合は、前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる第１の表示情報制御手段と、
前記タッチ位置保持判断手段により前記マルチタッチの各タッチ位置が一定時間保持されないと判断された場合は、前記タッチ位置移動判断手段により前記マルチタッチの各タッチ位置が離間する方向に移動されたか又は接近する方向に移動されたかの判断に応じて、前記表示部に表示されている説明情報を拡大して表示させるか又は縮小して表示させる第２の表示情報制御手段とを有する、
ことを特徴とする［１］ないし［４］の何れかに記載の辞書情報表示装置。
【０１２８】
［６］
前記タッチ位置移動判断手段は、前記マルチタッチ検出手段により検出されたマルチタッチの各タッチ位置が、前記説明情報表示制御手段により前記表示部に表示された語義の説明行に対して斜めの方向に離間する方向で移動されたか又は接近する方向で移動されたかを判断する斜め対応移動判断手段を有し、
この斜め対応移動判断手段により前記マルチタッチの各タッチ位置が、前記説明情報表示制御手段により前記表示部に表示された語義の説明行に対して斜めの方向に離間する方向で移動されたか又は接近する方向で移動されたかの判断に応じて、前記表示部に表示されている説明情報を拡大して表示させるか又は縮小して表示させる拡大／縮小表示制御手段を備えた、
ことを特徴とする［１］ないし［５］の何れかに記載の辞書情報表示装置。
【０１２９】
［７］
タッチパネル式の表示部と、見出し語と当該見出し語の複数の語義からなる説明情報とを対応付けた辞書データを記憶しているメモリと、を備えた電子機器のコンピュータを制御するための辞書情報表示方法であって、
ユーザ操作に応じて入力された見出し語に対応する説明情報を前記辞書データから読み出して前記表示部に表示させ、
前記タッチパネルによりユーザ操作に応じたマルチタッチを検出し、
前記検出されたマルチタッチの各タッチ位置が離間する方向に移動されたか又は接近する方向に移動されたかを判断し、
前記マルチタッチの各タッチ位置が離間する方向に移動されたか又は接近する方向に移動されたかの判断に応じて、前記辞書データから読み出して前記表示部に表示させる説明情報を詳細化して表示させるか又は簡略化して表示させること、
からなる辞書情報表示方法。
【０１３０】
［８］
タッチパネル式の表示部とメモリとを備えた電子機器のコンピュータを制御するための辞書情報表示プログラムであって、
前記コンピュータを、
見出し語と当該見出し語の複数の語義からなる説明情報とを対応付けた辞書データを前記メモリに記憶させる辞書記憶手段、
ユーザ操作に応じて入力された見出し語に対応する説明情報を前記辞書データから読み出して前記表示部に表示させる説明情報表示制御手段、
前記タッチパネルによりユーザ操作に応じたマルチタッチを検出するマルチタッチ検出手段、
このマルチタッチ検出手段により検出されたマルチタッチの各タッチ位置が離間する方向に移動されたか又は接近する方向に移動されたかを判断するタッチ位置移動判断手段、
このタッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる表示情報制御手段、
として機能させるための辞書情報表示プログラム。
【０１３１】
［９］
ネットワークを介した通信機能を有するサーバ装置と端末装置からなる辞書情報表示システムであって、
前記サーバ装置は、
見出し語と当該見出し語の複数の語義からなる説明情報とを対応付けた辞書データを記憶している辞書記憶手段と、
前記端末装置からユーザ操作に応じて入力された検索語を受信する検索語受信手段と、
この検索語受信手段により受信された検索語に対応する見出し語とその説明情報を前記辞書データから読み出して前記端末装置へ送信する説明情報送信手段と、
前記端末装置のタッチパネルにより検出されるユーザ操作に応じたタッチ位置を受信するタッチ位置受信手段と、
このタッチ位置受信手段により受信されたタッチ位置に応じてユーザ操作に応じたマルチタッチを検出するマルチタッチ検出手段と、
このマルチタッチ検出手段により検出されたマルチタッチの各タッチ位置が離間する方向に移動されたか又は接近する方向に移動されたかを判断するタッチ位置移動判断手段と、
このタッチ位置移動判断手段により前記マルチタッチの各タッチ位置が離間する方向に移動されたか又は接近する方向に移動されたかの判断に応じて、前記説明情報送信手段により前記辞書データから読み出して前記端末装置へ送信する説明情報を詳細化して送信させるか又は簡略化して送信させる送信情報制御手段とを備え、
前記端末装置は、
タッチパネル式の表示部と、
ユーザ操作に応じて入力された検索語を前記サーバ装置へ送信する検索語送信手段と、
この検索語送信手段による前記検索語の送信に応答して、前記サーバ装置の説明情報送信手段により送信された見出し語とその説明情報を受信し、当該受信された見出し語とその説明情報を前記表示部に表示させる説明情報表示制御手段と、
前記タッチパネルにより検出されるユーザ操作に応じたタッチ位置を前記サーバ装置へ送信するタッチ位置送信手段と、
このタッチ位置送信手段による前記タッチ位置の送信に応答して、前記サーバ装置の送信情報制御手段により詳細化又は簡略化されて送信された説明情報を受信し、前記説明情報表示制御手段により前記表示部に表示された説明情報を詳細化又は簡略化して表示させる表示情報制御手段とを備えた、
ことを特徴とする辞書情報表示システム。
【０１３２】
［１０］
［９］に記載の辞書情報表示システムのサーバ装置。
【０１３３】
［１１］
［９］に記載の辞書情報表示システムの端末装置。
【符号の説明】
【０１３４】
１０  …電子辞書装置
１０Ｔ…タッチパネル式ＰＤＡ
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
２１  …ＣＰＵ
２２  …メモリ
２２ａ…情報表示制御プログラム
２２ｂ…辞書データベース
２２ｃ…テキストデータベース
２２ｄ…検索語データメモリ
２２ｅ…語義表示モードデータメモリ
２２ｆ…マーカ単語帳データメモリ
２３  …外部記録媒体
２４  …記録媒体読取部
２５  …通信部
３０  …Ｗｅｂサーバ（プログラム）
３１  …Ｗｅｂサーバ（辞書）
ＧＳ  …説明情報表示画面
ＧＳｗ…説明情報表示ウインドウ
Ｐｎ  …指
ｔｎ  …タッチ位置
ｍ  …タッチ位置の列方向スライド
ｎ，ｎ１，ｎ２…タッチ位置の行方向スライド
ｒ１，ｒ２…タッチ位置の斜め方向スライド
Ｍ  …マーカ表示
【図１】
0005998964.tif 000002
【図２】
0005998964.tif 000003
【図３】
0005998964.tif 000004
【図４】
0005998964.tif 000005
【図５Ａ】
0005998964.tif 000006
【図５Ｂ】
0005998964.tif 000007
【図６】
0005998964.tif 000008
【図７】
0005998964.tif 000009
【図８】
0005998964.tif 000010
【図９】
0005998964.tif 000011
【図１０】
0005998964.tif 000012
【図１１】
0005998964.tif 000013
【図１２】
0005998964.tif 000014
【図１３】
0005998964.tif 000015
【図１４】
0005998964.tif 000016
【図１５】
0005998964.tif 000017
【図１６】
0005998964.tif 000018